(57)【要約】【課題】  制動部材を用いるようにフレームの開孔が大きくなる場合にも、適切な振動特性を有して、再生音質に優れるヘッドホン並びに動電型のスピーカーユニットを提供する。【解決手段】  フレームは、振動板の外周部を固定する振動板固定部と、磁気回路を固定する磁気回路固定部と、振動板固定部と磁気回路固定部とを連結して複数の開孔を規定する連結部と、端子固定部と、を有し、隣り合う２つの開孔を規定する連結部の第１連結部および第２連結部および第３連結部が、中心点を通過する径方向線に対してそれぞれ傾くように磁気回路固定部から振動板固定部に至るまでそれぞれ延設され、かつ、周方向における第１連結部と第２連結部との間の第１離間距離ならびに第２連結部と第３連結部との間の第２離間距離が異なるように形成されて、少なくとも２つの開孔の開孔面積が等しくないようにされている。【選択図】  図２
2019041271.tif 000002
【特許請求の範囲】
【請求項１】
ヘッドホンまたはイヤホンに用いる動電型のスピーカーユニットを構成するフレームであって、
振動板の外周部を固定する略円環形状の振動板固定部と、磁気回路を固定する略円環形状の磁気回路固定部と、該振動板固定部と該磁気回路固定部とを連結して複数の開孔を規定する連結部と、該振動板固定部の外周側に突出するように設けられて端子を固定する端子固定部と、を有し、
隣り合う２つの該開孔を規定する該連結部の第１連結部および第２連結部および第３連結部が、中心点を通過する径方向線に対してそれぞれ傾くように該磁気回路固定部から該振動板固定部に至るまでそれぞれ延設され、かつ、周方向における該第１連結部と該第２連結部との間の第１離間距離ならびに該第２連結部と該第３連結部との間の第２離間距離が異なるように形成されて、少なくとも２つの該開孔の開孔面積が等しくないようにされている、
フレーム。
【請求項２】
少なくとも、前記連結部の前記第１連結部および前記第２連結部および前記第３連結部の組が、前記中心点を中心にして回転対称に複数配置されている、
請求項１に記載のフレーム。
【請求項３】
隣接する２つの前記組のうち、一方の該組の前記第３連結部と他方の該組の前記第１連結部とが、兼用されている、
請求項２に記載のフレーム。
【請求項４】
少なくとも、前記連結部の前記第１連結部および前記第２連結部が、それぞれ前記磁気回路固定部から前記振動板固定部に至るにつれて湾曲して、それらの太さが漸次的に太く又は細く変化するように形成され、かつ、該第１連結部の太さと該第２連結部の太さとが異なるように形成されている、
請求項３に記載のフレーム。
【請求項５】
前記フレームが、ポリフェニレンエーテル系樹脂と、ポリスチレン系樹脂と、ポリエチレン、ポリプロピレン、エチレン− プロピレン共重合体からなる群から選択される少なくとも１つのポリオレフィン系樹脂と、を含有する樹脂材料から形成されている、
請求項１から４のいずれかに記載のフレーム。
【請求項６】
請求項１から５のいずれかに記載の前記フレームと、前記振動板固定部に固定される前記振動板と、該振動板に連結されるボイスコイルと、前記端子固定部に固定されて該ボイスコイルのコイルが接続される前記端子と、該ボイスコイルの該コイルが配置される磁気空隙を有して前記磁気回路固定部に固定される前記磁気回路と、前記開孔を覆うように取り付けられる制動部材と、を備える、
スピーカーユニット。
【請求項７】
請求項６に記載のスピーカーユニットを備えるヘッドホンまたはイヤホン。
【発明の詳細な説明】
【技術分野】
【０００１】
本発明は、ユーザーの耳に装着されて音声再生するヘッドホン並びにイヤホンに用いられる動電型のスピーカーユニットのフレームに関し、特に、振動板並びに磁気回路を固定し、制動部材を取り付けるフレーム並びにこれを有するスピーカーユニットに関する。
【背景技術】
【０００２】
ヘッドホンは、スピーカーユニットと、スピーカーユニットの背面側を囲むハウジングと、スピーカーユニットの前面側に設けられる耳接触部を備えている。ここでいうヘッドホンは、左右一対のハウジングがヘッドバンドなどで連結されているものだけでなく、ユーザーの耳にハウジングを直接支持させるイヤホンタイプのものや、ハウジングがマイク装置を備える所謂ヘッドセットを含んでいる。
【０００３】
ヘッドホンは、ユーザーの耳に当接するように近接配置されるスピーカーユニットに音声信号を印加することにより振動板から音を再生する。印加された音声信号によりスピーカーユニットが駆動されると、スピーカーユニットの駆動の反作用により、スピーカーユニットのフレーム並びにハウジングを構成する部材が振動し、各部材から音が放射される。
【０００４】
ヘッドホンのフレーム並びにハウジングは、スピーカーシステムにおけるフレーム、または、木質製のスピーカーキャビネットの場合と同様に、これらを構成する材料、寸法・厚み等に依存して特定の固有振動数で振動するので、その構成により特有の音色を有する。したがって、これらの部材には、高い内部損失と優れた機械的特性をバランスよく有し、軽量で、かつ、優れた耐熱性およびＳ／Ｎ比を有するものが求められる。
【０００５】
例えば、従来には、ポリフェニレンエーテル系樹脂（Ａ）と；ポリスチレン系樹脂（Ｂ）と；ポリエチレン、ポリプロピレン、エチレン−プロピレン共重合体からなる群から選択される少なくとも１つのポリオレフィン系樹脂（Ｃ）とを含有する音響機器周辺部品であって、ホーン、フィールドカバー、イコライザー、イコライザー支持体およびスピーカー前面取付板から選択される少なくとも１つとして用いられる音響機器周辺部品がある（特許文献１）。
【０００６】
スピーカーユニットの振動板から再生される音に比べて、スピーカーユニットのフレームまたはハウジングを構成するそれぞれの部位が振動して放射される音は音圧レベルが低いが、耳に近接して配置するヘッドホンにおいては、その再生音質に与える影響は大きいので、従来からスピーカーユニットのフレームまたはハウジングを構成する材料の選定もしくはハウジングの形状等に工夫がなされている。
【０００７】
また、ヘッドホンでは、スピーカーユニットのフレームまたはハウジングに通気性を有して振動板から放射された音波が通過する制動部材を設けるものがある。ヘッドホンは、制動部材を設けることにより、スピーカーユニットおよびハウジングが構成する音響等価回路の特性を変えて、音圧周波数特性等を改善する。ヘッドホンにおける制動部材は、振動板からその前面側または背面側に放射される音波が通過するフレームの開孔の通気性（空気の流量）を調整することができるように、主に通気性を有する部材で形成される。
【０００８】
例えば、従来には、動電型のスピーカーユニットであるヘッドホンユニットの振動板の背面側の複数箇所に開口部を設け、この開口部に通気性を有する制動材である制動布を貼り付けて、振動板から背面への通気量を調整するものがある（特許文献２）。さらに、端子基板に透孔を設けて音響制動を行うようにするヘッドホンも特許文献２には開示されている。
【０００９】
ヘッドホンに用いるスピーカーユニットにおける制動部材の材料選定と通気孔の設定は、ヘッドホンにおける音響回路の特性を変えるので、基本的な音圧周波数特性に大きく影響を与えるだけでなく、ヘッドホンの再生音質に大きな影響を与える。したがって、ヘッドホンでは、スピーカーユニットのフレームの開孔が大きくなり、フレームが振動しやすくなる場合があると言う問題がある。
【先行技術文献】
【特許文献】
【００１０】
【特許文献１】特許第４２５８５１０号公報
【特許文献２】実開昭６１−１０９２８７号公報
【発明の概要】
【発明が解決しようとする課題】
【００１１】
本発明は、上記の従来技術が有する問題を解決するためになされたものであり、その目的は、ヘッドホン並びにイヤホンに用いられる動電型のスピーカーユニットのフレームに関し、特に制動部材を用いるように開孔が大きくなる場合にも、適切な振動特性を有して、再生音質に優れるヘッドホン並びにスピーカーユニットを提供することにある。
【課題を解決するための手段】
【００１２】
本発明のフレームは、ヘッドホンまたはイヤホンに用いる動電型のスピーカーユニットを構成するフレームであって、振動板の外周部を固定する略円環形状の振動板固定部と、磁気回路を固定する略円環形状の磁気回路固定部と、振動板固定部と磁気回路固定部とを連結して複数の開孔を規定する連結部と、振動板固定部の外周側に突出するように設けられて端子を固定する端子固定部と、を有し、隣り合う２つの開孔を規定する連結部の第１連結部および第２連結部および第３連結部が、中心点を通過する径方向線に対してそれぞれ傾くように磁気回路固定部から振動板固定部に至るまでそれぞれ延設され、かつ、周方向における第１連結部と第２連結部との間の第１離間距離ならびに第２連結部と第３連結部との間の第２離間距離が異なるように形成されて、少なくとも２つの開孔の開孔面積が等しくないようにされている。
【００１３】
好ましくは、本発明のフレームは、少なくとも、連結部の第１連結部および第２連結部および第３連結部の組が、中心点を中心にして回転対称に複数配置されている。
【００１４】
また、本発明のフレームは、隣接する２つの組のうち、一方の組の第３連結部と他方の組の第１連結部とが、兼用されている。
【００１５】
好ましくは、本発明のフレームは、少なくとも、連結部の第１連結部および第２連結部が、それぞれ磁気回路固定部から振動板固定部に至るにつれて湾曲して、それらの太さが漸次的に太く又は細く変化するように形成され、かつ、第１連結部の太さと第２連結部の太さとが異なるように形成されている。
【００１６】
また、好ましくは、本発明のフレームは、ポリフェニレンエーテル系樹脂と、ポリスチレン系樹脂と、ポリエチレン、ポリプロピレン、エチレン− プロピレン共重合体からなる群から選択される少なくとも１つのポリオレフィン系樹脂と、を含有する樹脂材料から形成されている。
【００１７】
また、本発明のスピーカーユニットは、上記のフレームと、振動板固定部に固定される振動板と、振動板に連結されるボイスコイルと、端子固定部に固定されてボイスコイルのコイルが接続される端子と、ボイスコイルのコイルが配置される磁気空隙を有して磁気回路固定部に固定される磁気回路と、開孔を覆うように取り付けられる制動部材と、を備える。
【００１８】
また、本発明のヘッドホンまたはイヤホンは、上記のスピーカーユニットを備える。
【００１９】
以下、本発明の作用について説明する。
【００２０】
本発明のフレームは、ヘッドホンまたはイヤホンに用いる動電型のスピーカーユニットを構成するフレームであって、振動板、ボイスコイル、端子、磁気回路、並びに制動部材、をさらに備えて動電型のスピーカーユニットを構成する。フレームは、振動板の外周部を固定する略円環形状の振動板固定部と、磁気回路を固定する略円環形状の磁気回路固定部と、振動板固定部と磁気回路固定部とを連結して複数の開孔を規定する連結部と、振動板固定部の外周側に突出するように設けられて端子を固定する端子固定部と、を有する。
【００２１】
ここでフレームは、隣り合う２つの開孔を規定する連結部の第１連結部および第２連結部および第３連結部が、中心点を通過する径方向線に対してそれぞれ傾くように磁気回路固定部から振動板固定部に至るまでそれぞれ延設され、かつ、周方向における第１連結部と第２連結部との間の第１離間距離ならびに第２連結部と第３連結部との間の第２離間距離が異なるように形成されている。したがって、これらの少なくとも２つの開孔の開孔面積は等しくないように形成される。また、フレームは、連結部の第１連結部および第２連結部および第３連結部の組が、中心点を中心にして回転対称に複数配置される。
【００２２】
その結果、このフレームでは、隣り合う開孔の開孔面積が異なるように連結部に出現することになるので、振動板固定部と磁気回路固定部とを含むフレームの構造体が一様でなくなるので、振動の共振周波数が分散しやすくなり、一様な開孔面積の開孔が形成される従来の場合に生じる振動による顕著なピークを有する放射音を、比較的に抑制することができる。したがって、このフレームは、ヘッドホンまたはイヤホンの再生音質を優れるものにすることができる。また、周方向に渡って一様に開孔を設けることができるので、振動板のローリングまたは異音の発生といった不具合が生じるのを抑制することができる。
【００２３】
なお、フレームの第１連結部および第２連結部および第３連結部は、隣接する２つの組のうち、一方の組の第３連結部と他方の組の第１連結部とを、兼用してもよい。さらに、連結部の第１連結部および第２連結部が、それぞれ磁気回路固定部から振動板固定部に至るにつれて湾曲して、それらの太さが漸次的に太く又は細く変化するように形成され、かつ、第１連結部の太さと第２連結部の太さとが異なるように形成されていてもよい。その結果、フレームの振動による放射音が抑制され、本発明のフレームを備えるスピーカーユニットを含むヘッドホンまたはイヤホンは、適切な音響特性を有して、再生音質に優れるものになる。
【００２４】
なお、上記の本発明のフレームは、ポリフェニレンエーテル系樹脂と、ポリスチレン系樹脂と、ポリエチレン、ポリプロピレン、エチレン− プロピレン共重合体からなる群から選択される少なくとも１つのポリオレフィン系樹脂と、を含有する樹脂材料から形成されているのが好ましい。再生音質に優れるヘッドホンを構成することができる。
【発明の効果】
【００２５】
本発明のヘッドホン並びにイヤホンに用いられる動電型のスピーカーユニットのフレームは、制動部材を用いるように開孔が大きくなる場合にも、適切な振動特性を有して、再生音質に優れるヘッドホン並びにスピーカーユニットを提供することができる。
【図面の簡単な説明】
【００２６】
【図１】本発明の一実施形態に係るヘッドホン並びにイヤホンに用いられる動電型のスピーカーユニットの外観図である。
【図２】本発明の一実施形態に係るスピーカーユニットの具体的な構造を示した説明図である。
【図３】本発明の一実施形態に係るフレームの振動特性を示すグラフである。
【図４】比較例１のフレームの振動特性を示すグラフである。
【図５】比較例２のフレームの振動特性を示すグラフである。
【発明を実施するための形態】
【００２７】
以下、本発明の好ましい実施形態によるフレーム及びこれを用いるスピーカーユニット並びにヘッドホン、イヤホンについて説明するが、本発明はこれらの実施形態には限定されない。
【実施例１】
【００２８】
図１または図２は、本発明の好ましい実施形態によるヘッドホン並びにイヤホンに用いられる動電型のスピーカーユニット１について説明する図である。具体的には、図１は、スピーカーユニット１の外観を示す前面側からの斜視図であり、図２は、このスピーカーユニット１を背面側からみた図である。なお、スピーカーユニット１の形態は、本実施例の場合に限定されない。また、本発明の説明に不要なスピーカーユニット１の構成については、図示及び説明を省略する。
【００２９】
本実施例のスピーカーユニット１は、ユーザーの耳に近接させて配置するヘッドホン並びにイヤホンに用いられる呼び口径が４０ｍｍと小径の動電型スピーカーである。なお、スピーカーユニット１は、ヘッドホンのキャビティ又はイヤホンのボディに取り付けられて、ヘッドホンまたはイヤホンを構成する。ただし、このスピーカーユニット１を用いるヘッドホン又はイヤホンの具体的な形態については、図示及び説明を省略する。
【００３０】
スピーカーユニット１は、樹脂材料で形成されるフレーム２と、フレーム２に固定される磁気回路３と、フィルム状のＰＥＴ（ポリエチレンテレフタレート）部材を成形した振動板１０と、振動板１０に連結してそのコイルが磁気回路３の（図示しない）磁気空隙に配置される（図示しない）ボイスコイルと、ボイスコイルのコイルの両端が接続される端子４と、フレーム２に取り付けられて振動板１０から放射された音波が通過する（図示しない）制動部材と、を備える。なお、制動部材フレーム２の後述する開孔２５を覆う制動部材は、図２では図示を省略しているので、振動板１０の背面側が開孔２５を通じて見えている。
【００３１】
振動板１０は、球面の一部のようなドーム部１１と、このドーム部１１の外周囲に延設されるエッジ部１２と、を一体に構成した振動板である。ドーム部１１の外周部であってエッジ部１２との結合部に、背面側から音声信号電流が供給されるボイスコイルが取り付けられる。振動板１０のエッジ部１２の外周端側は、フレーム２の振動板固定部２１に固定され、小型軽量な磁気回路３は、フレーム２の磁気回路固定部２２に固定される。磁気回路固定部２２の内側には、磁気回路３の磁気空隙と連通してボイスコイルが通過する開孔が設けられる。振動板１０と連結するボイスコイル３のコイルは、磁気回路の磁気空隙に配置される。
【００３２】
したがって、スピーカーユニット１では、強い直流磁界が発生する磁気回路３の磁気空隙中に配置されるボイスコイルに音声信号電流が供給されると、図示するＺ軸方向に駆動力が発生し、ボイスコイルならびに振動板１０から構成されるスピーカー振動系がＺ軸方向に振動する。つまり、スピーカー振動系は、振動板１０のエッジ１２のみによって振動可能に支持されており、その結果、振動板１０の前後に存在する空気に圧力変化を生じ、音声信号電流を音波（音声）に変換する。
【００３３】
振動板１０のエッジ部１２は、径方向の断面が凸状となるロールエッジであり、凸状面を凹ませて形成する凹状リブ１３が複数設けられている。凹状リブ１３は、中心点Ｏを通過する径方向線Ｒ（またはＸまたはＹ）に対してそれぞれ傾いた傾斜方向に設けられている。本実施例の凹状リブ１３は、中心点Ｏを中心にエッジ部１２に回転対称に４８本配置されている。凹状リブ１３は、振動板１０の上下対称性を改善して、振動板１０のローリングまたは異音の発生といった不具合が生じるのを防ぎ、再生音質を改善する。
【００３４】
フレーム２は、振動板１０のエッジ部１２の外周部を固定する略円環形状の振動板固定部２１と、磁気回路３を固定する略円環形状の磁気回路固定部２２と、振動板固定部２１と磁気回路固定部２２とを連結して複数の開孔２５を規定する連結部２３と、振動板固定部２１の外周側に突出するように設けられて端子４を固定する端子固定部２４と、を有する。フレーム２は、前面側にドーム部１１およびエッジ部１２が露出するように振動板１０を取り付けて、振動板１０の前面側から放射される音波が再生されるように構成されている。
【００３５】
さらに、フレーム２は、振動板１０の前面側から放射される音波とは逆相の関係になる振動板１０の背面側から放射される音波に関して、連結部２３に規定されている複数の開孔２５を通じてエッジ部１２からの音波が背面側に再生されるように構成されている。連結部２３には、開孔２５を覆うように通気性を有する（図示しない）制動部材を取り付けることができる。スピーカーユニット１は、ヘッドホン又はイヤホンに適するように、開孔２５および制動部材によってフレーム２の内部空間によるコンプライアンス（音響容量）を調整でき、コンプライアンスが調整されることによって周波数特性、特に低音域の周波数特性を調整することができる。
【００３６】
図２に図示するように、フレーム２の連結部２３は、中心点Ｏを通過する径方向線に対してそれぞれ傾くように、磁気回路固定部２２から振動板固定部２１に至るまでそれぞれ１２本が延設されている。したがって、本実施例の場合には、連結部２３に１２カ所の開孔２５が周方向に規定されている。また、フレーム２の連結部２３は、中心点Ｏを中心にして回転対称に配置されている。このフレーム２では、振動板固定部２１の外周側に突出するように端子４を固定する端子固定部２４を設けているので、フレーム２の周方向に渡って一様に開孔２５を設けることができる。
【００３７】
以下では、まずフレーム２の隣り合う連結部２３ａ〜２３ｅの間にそれぞれ規定される開孔２５ａ〜２５ｄの部分を利用して、フレーム２を説明する。連結部２３ａは、磁気回路固定部２２上の基準点ａから振動板固定部２１に至るように、中心点Ｏを通過する径方向線Ｙに対して角度φだけ傾くように斜め方向に延設されている。連結部２３ａは、磁気回路固定部２２から振動板固定部２１に至るにつれて湾曲して、それらの太さが漸次的に細く変化するように形成されている。
【００３８】
次に、連結部２３ａの隣の連結部２３ｂは、磁気回路固定部２２上の基準点ａから周方向における第１離間距離ｄ１だけ離れた基準点ｂから振動板固定部２１に至って傾くように斜め方向に延設されている。連結部２３ｂも連結部２３ａと同様に、磁気回路固定部２２から振動板固定部２１に至るにつれて湾曲して、それらの太さが漸次的に細く変化するように形成されている。したがって、連結部２３ａと連結部２３ｂとの間には、第１離間距離ｄ１に対応する面積を有する略台形のような開孔２５ａが規定される。
【００３９】
さらに、連結部２３ｂの隣の連結部２３ｃは、磁気回路固定部２２上の基準点ｂから周方向における第２離間距離ｄ２だけ離れた基準点ｃから振動板固定部２１に至って傾くように斜め方向に延設されている。また、連結部２３ｃは、連結部２３ａを中心点Ｏを中心にして回転対称したものになっているので、連結部２３ｃも連結部２３ａまたは２３ｂと同様に、磁気回路固定部２２から振動板固定部２１に至るにつれて湾曲して、それらの太さが漸次的に細く変化するように形成されている。したがって、連結部２３ｂと連結部２３ｃとの間には、第２離間距離ｄ２に対応する面積を有する略台形のような開孔２５ｂが規定される。図２に図示するように、基準点ｂからと基準点ｃとの距離である第２離間距離ｄ２は、基準点ａからと基準点ｂとの距離である第１離間距離ｄ１よりも短いので、開孔２５ｂの面積は開孔２５ａの面積よりも小さくなって、異なっている。
【００４０】
さらに、連結部２３ｃの隣の連結部２３ｄは、磁気回路固定部２２上の基準点ｃから周方向における第３離間距離ｄ３だけ離れた基準点ｄから振動板固定部２１に至って傾くように斜め方向に延設されている。また、連結部２３ｄは、連結部２３ｂを中心点Ｏを中心にして回転対称したものになっているので、連結部２３ｄも連結部２３ａ〜２３ｃと同様に、磁気回路固定部２２から振動板固定部２１に至るにつれて湾曲して、それらの太さが漸次的に細く変化するように形成されている。したがって、連結部２３ｃと連結部２３ｄとの間には、第３離間距離ｄ３に対応する面積を有する略台形のような開孔２５ｃが規定される。また、第１離間距離ｄ１と第３離間距離ｄ３とは、等しくなるように設定されている。したがって、開孔２５ｃの面積は開孔２５ａの面積に等しく、開孔２５ｂの面積よりも大きくなっている。
【００４１】
さらに、連結部２３ｄの隣の連結部２３ｅは、磁気回路固定部２２上の基準点ｄから周方向における第４離間距離ｄ４だけ離れた基準点ｅから振動板固定部２１に至って傾くように斜め方向に延設されている。また、連結部２３ｅは、連結部２３ａまたは２３ｃを中心点Ｏを中心にして回転対称したものになっているので、連結部２３ｅも連結部２３ａ〜２３ｄと同様に、磁気回路固定部２２から振動板固定部２１に至るにつれて湾曲して、それらの太さが漸次的に細く変化するように形成されている。したがって、連結部２３ｄと連結部２３ｅとの間には、第４離間距離ｄ４に対応する面積を有する略台形のような開孔２５ｄが規定される。また、第２離間距離ｄ２と第４離間距離ｄ４とは、等しくなるように設定されている。したがって、開孔２５ｄの面積は開孔２５ｂの面積に等しく、開孔２５ａの面積または開孔２５ｃの面積よりも小さくなっている。
【００４２】
つまり、フレーム２の連結部２３では、連結部２３ａのような第１連結部と、連結部２３ｂのような第２連結部と、連結部２３ｃのような第３連結部とから構成される組が、中心点Ｏを中心にして回転対称に複数配置されていて、これらの連結部の間に規定される２つの開孔２５ａおよび２５ｂの開孔面積が等しくないようにされている。連結部２３ｃおよび連結部２３ｄおよび連結部２３ｅの組がそれらの間に規定する２つの開孔２５ｃおよび２５ｄについても同様であり、これらの開孔面積が等しくないようにされている。ここでは、連結部２３の隣接する２つの組のうち、一方の組と他方の組とを構成する連結部２３ｃが、兼用されている。
【００４３】
したがって、フレーム２の連結部２３では、３つの連結部２３の間に規定される開孔面積が等しくない２つの開孔２５ａおよび２５ｂが、中心点Ｏを中心にして回転対称に複数配置されている。このよう開孔面積が異なる２つの開孔が出現するようにフレーム２の連結部２３を構成することにより、振動板固定部２１と磁気回路固定部２２とを含むフレーム２の振動の共振周波数が分散しやすくなり、一様な開孔面積の開孔が形成される従来の場合に生じる振動による顕著なピークを有する放射音を、比較的に抑制することができる。
【００４４】
フレーム２は、ポリフェニレンエーテル系樹脂と、ポリスチレン系樹脂と、ポリエチレン、ポリプロピレン、エチレン−プロピレン共重合体からなる群から選択される少なくとも１つのポリオレフィン系樹脂と、を含有する樹脂材料から形成されている。ポリフェニレンエーテル系樹脂とポリスチレン系樹脂の重量比は、９０／１０〜７０／３０の範囲であるのが好ましく、また、ポリフェニレンエーテル系樹脂とポリスチレン系樹脂との合計１００重量部に対して、ポリオレフィン系樹脂を、５〜２０重量部含有するようにするのが好ましい。ポリフェニレンエーテル系樹脂と、ポリスチレン系樹脂と、はアロイ化されていてもよい。
【００４５】
本実施例のフレーム２は、上記樹脂材料を採用することにより、高い内部損失と優れた機械的特性をバランスよく有し、軽量で、かつ、優れた耐熱性およびＳ／Ｎ比を有することができる。より詳細には、ポリフェニレンエーテル系樹脂と、ポリスチレン系樹脂と、ポリオレフィン系樹脂とが特定の比率で含有されることにより、格段に高い内部損失と優れた機械的特性をバランスよく有し、かつ、これらの樹脂が本来有する優れた耐熱性、耐湿性、成形性、寸法安定性、軽量性を損なわずに振動特性に優れるフレーム２を得ることができる。
【００４６】
図３〜図５は、本実施例のフレーム２、並びに比較例１のフレーム２０ａまたはフレーム２０ｂの振動特性を示すグラフである。これらのグラフ中にそれぞれ図示するように、図３が本実施例のフレーム２の場合であり、図４が比較例１のフレーム２０ａの場合であり、図５が比較例２のフレーム２０ｂの場合である。図３〜図５で図示するフレームは、いずれも振動板１０を取り付ける前面側から見た前面図である。
【００４７】
比較例１のフレーム２０ａは、本実施例のフレーム２に対して、全ての開孔の面積が等しく変更されている点で相違し、他の設定は共通するものである。つまり、隣り合う２つの開孔を規定する連結部２３の第１連結部および第２連結部および第３連結部が、中心点を通過する径方向線に対してそれぞれ傾くように磁気回路固定部から振動板固定部に至るまでそれぞれ延設されているものの、周方向における第１連結部と第２連結部との間の第１離間距離ならびに第２連結部と第３連結部との間の第２離間距離が等しくなるように形成されている。
【００４８】
一方で、比較例２のフレーム２０ｂは、本実施例のフレーム２に対して、全ての開孔の面積が等しく変更され、かつ、全ての連結部２３が中心点Ｏを通過する径方向線に対してそれぞれ傾くことなく磁気回路固定部２２から振動板固定部２１に至るまでそれぞれ延設されている点で相違し、他の設定はほぼ共通するものである。連結部２３は、磁気回路固定部２２から振動板固定部２１に至る間に湾曲せずに、それらの太さは中心点Ｏをからの距離に応じて変化しないように形成されている。
【００４９】
図３〜図５は、具体的には、フレーム２の磁気回路固定部２２に駆動力を与えた場合に、グラフ中に図示する振動板固定部２１の代表的な測定点Ｐ４またはＰ７における振動のＺ方向の変位量を示すグラフであって、横軸が周波数であり、縦軸が変位量を示すグラフである。したがって、グラフの縦軸の変位量の値が大きい周波数では、フレーム２が変形しやすいことを示し、前後する周波数に比べて大きなピークを示す周波数では、顕著な共振が発生することを示している。振動特性に優れるフレームとしては、いずれの周波数においても変位量の値が小さいことが望ましい。
【００５０】
本実施例のフレーム２は、比較例１のフレーム２０ａ、または、比較例２のフレーム２０ｂと比較して、約３．５ｋＨｚ付近に発生する一次共振モードの変位量が小さく抑えられている。また、フレーム２は、この共振周波数以上の高次共振モードについても発生が抑えられてピークが少なくなっており、そのレベルも比較例１または２よりも低い変位量を示している。さらに、フレーム２では、この共振周波数以下の周波数における変位量が、比較例１または２よりもかなり小さくなっている。
【００５１】
図３〜図５のグラフは、フレーム２の連結部２３にほぼ同等の開孔面積を設ける場合に、本実施例のフレーム２のように隣り合う開孔２５の開孔面積が異なるように連結部２３に出現するようにすれば、振動板固定部２１と磁気回路固定部２２とを含むフレーム２の振動の共振周波数が分散しやすくなり、フレーム２の振動による放射音を抑制できることを示している。また、本実施例のフレーム２は、比較例２０ａまたは２０ｂの場合よりも実質的な強度が高まって、変形しにくくなる。
【００５２】
したがって、このフレーム２を用いる動電型のスピーカーユニット１は、これを備えるヘッドホンまたはイヤホンの再生音質を優れるものにできる。本実施例のフレーム２を用いる動電型のスピーカーユニット１を備える（図示しない）ヘッドホンの場合には、比較例の（図示しない）ヘッドホンとの比較試聴の結果、比較例のヘッドホンに比べて再生音質の方が優れることが確認できる。本実施例の場合には、動電型のスピーカーユニット１のフレーム２からの不要な振動に起因する異音などの不要な音波の発生を抑えることができるからである。もちろん、このフレーム２を用いる動電型のスピーカーユニット１は、ユーザーの耳にハウジングを直接支持させる（図示しない）イヤホンに用いてもよい。
【００５３】
本実施例のフレーム２は、上記のようなポリフェニレンエーテル系樹脂と、ポリスチレン系樹脂と、ポリオレフィン系樹脂とを特定の比率で含有する樹脂材料を採用することにより、高い内部損失と優れた機械的特性をバランスよく有し、軽量で、かつ、優れた耐熱性およびＳ／Ｎ比を有することができるようにしているが、比率の異なる他の樹脂材料または金属材料でフレーム２を構成してもよい。
【００５４】
また、本実施例のフレーム２の連結部２３では、３つの連結部２３の間に規定される開孔面積が等しくない２つの開孔２５ａおよび２５ｂが、中心点Ｏを中心にして回転対称に複数配置されているが、隣り合う４つの連結部２３の間に規定される３つの開孔面積が異なる開孔が出現するようにフレーム２の連結部２３の組を構成してもよい。このフレーム２の連結部２３の組は、さらに多い本数の連結部２３を含むようにしてもよい。つまり、開孔面積が異なる開孔２５を規定するフレーム２の連結部２３の組を構成すれば、振動板固定部２１と磁気回路固定部２２とを含むフレーム２の振動の共振周波数を分散して、振動による顕著なピークを有する放射音を抑制することができる。
【００５５】
また、本実施例のフレーム２の振動板固定部２１と磁気回路固定部２２とを連結する連結部２３は、本実施例の場合には中心点Ｏを通過する径方向線に対して同一方向に傾いた１２本が形成されているが、連結部２３の数は複数であれば奇数であってもよく、径方向線に対して左右に異なる方向に傾いた連結部２３の組を含むものであってもよい。
【００５６】
また、連結部２３は、中心点Ｏを通過する径方向線Ｙに対して傾くように斜め方向に延設され湾曲しているのがよいが、直線的に磁気回路固定部２２から振動板固定部２１に至るにつれて延設されていてもよい。また、連結部２３の太さは、漸次的に太く変化するように形成されていてもよい。２つの連結部２３の間には、略台形のような開孔２５が規定されればよい。また、本実施例のフレーム２は、連結部２３に周方向に渡って一様に開孔２５を設けるので、動電型のスピーカーユニット１は、振動板１０のローリングまたは異音の発生といった不具合が生じるのを抑制することができる。
【００５７】
なお、振動板１０を構成する樹脂材料は、上記実施例のＰＥＴのフィルム状部材に限定されない。振動板１０を形成する材料は、例えば、他のＰＥＥＫ（ポリエーテルエーテルケトン）、ＰＥＩ（ポリエーテルイミド）、ＰＥＮ（ポリエチレンナフタレート）、ＰＣ（ポリカーボネート）、ＰＩ（ポリイミド）、ＰＡＲ（ポリアリレート）、ＰＰＳ（ポリフェニレンサルファイド）、等の軽量な樹脂材料のフィルム、もしくは、シートを熱プレスして形成したものであってもよく、また、エラストマーのシートをプレス成形したものであってもよい。
【産業上の利用可能性】
【００５８】
本発明のフレームは、図示するような動電型のスピーカーユニットに限らず、さらにダンパーを備えてダンパー取付部を有するフレームであってもよい。また、動電型のスピーカーユニットに限らず、動電型の加振器にも適用が可能である。
【符号の説明】
【００５９】
１            スピーカーユニット
２            フレーム
２１          振動板固定部
２２          磁気回路固定部
２３          連結部
２４          端子固定部
２５          開孔
３            磁気回路
４            端子
１０          振動板
１１          ドーム部
１２          エッジ部
１３          凹状リブ
【図１】
2019041271.tif 000003
【図２】
2019041271.tif 000004
【図３】
2019041271.tif 000005
【図４】
2019041271.tif 000006
【図５】
2019041271.tif 000007